(57)【要約】【課題】ユーザから受け付けた写真データがユーザ本人である蓋然性が高いことを簡易的に確認させることができる本人認証支援装置及び方法を提供すること。【解決手段】本人認証支援装置１は、ユーザから第１の写真データを受け付ける第１受付部１１と、複数のポーズを示す情報を予め記憶するポーズＤＢ２１と、ポーズＤＢ２１から、１以上の任意のポーズを示す情報を選択するポーズ選択部１２と、ユーザに、選択されたポーズを示す情報に対応する第２の写真データの提出を要求する要求部１３と、要求部１３により第２の写真データの提出を要求したことに応じて、ユーザから第２の写真データを受け付ける第２受付部１４と、第１の写真データ及び第２の写真データを出力する出力部１５と、を備える。【選択図】図１
2012014233.tif 000002
【特許請求の範囲】
【請求項１】
ユーザから受け付ける写真データが前記ユーザを示す写真データであるかの認証を支援する本人認証支援装置であって、
ユーザから第１の写真データを受け付ける第１受付手段と、
複数のポーズを示す情報を予め記憶するポーズ記憶手段と、
前記ポーズ記憶手段から、１以上の任意のポーズを示す情報を選択するポーズ選択手段と、
前記ユーザに、選択された前記ポーズを示す情報に対応する第２の写真データの提出を要求する要求手段と、
前記要求手段により、前記第２の写真データの提出を要求したことに応じて、前記ユーザから前記第２の写真データを受け付ける第２受付手段と、
前記第１の写真データ及び前記第２の写真データを出力する出力手段と、を備える本人認証支援装置。
【請求項２】
前記第１の写真データと前記第２の写真データとが類似しているか否かを判定する判定手段をさらに備え、
前記出力手段は、前記第１の写真データ及び前記第２の写真データと、前記判定手段の判定結果とを出力する請求項１に記載の本人認証支援装置。
【請求項３】
通信ネットワークを介して接続可能なＷｅｂサイトからクローリングして得られた画像データを記憶する画像記憶手段と、
前記第１受付手段が前記第１の写真データを受け付けたことに応じて、前記画像記憶手段から、前記第１の写真データと類似する画像データを検索する検索手段と、
前記検索手段により検索された前記類似する画像データについて、前記複数のポーズを示す情報のうち対応するポーズを示す情報を決定するポーズ決定手段と、をさらに備え、
前記ポーズ選択手段は、
前記ポーズ記憶手段から、前記ポーズ決定手段により決定されたポーズを示す情報と異なる１以上の任意のポーズを選択する請求項１又は２に記載の本人認証支援装置。
【請求項４】
ユーザから受け付ける写真データが前記ユーザを示す写真データであることの認証を支援する本人認証支援装置が実行する方法であって、
前記本人認証支援装置は、複数のポーズを示す情報を予め記憶するポーズ記憶手段を備え、
ユーザから第１の写真データを受け付ける第１受付ステップと、
前記ポーズ記憶手段から、１以上の任意のポーズを示す情報を選択するポーズ選択ステップと、
前記ユーザに、選択された前記ポーズを示す情報に対応する第２の写真データの提出を要求する要求ステップと、
前記要求ステップにおいて、前記第２の写真データの提出を要求したことに応じて、前記ユーザから前記第２の写真データを受け付ける第２受付ステップと、
前記第１の写真データ及び前記第２の写真データを出力する出力ステップと、を備える方法。
【発明の詳細な説明】
【技術分野】
【０００１】
本発明は、本人認証支援装置及び方法に関する。より詳細には、ユーザから受け付ける写真データが当該ユーザ本人を示す写真データであるかの認証を支援する本人認証支援装置及び方法に関する。
【背景技術】
【０００２】
近年、結婚を希望する男性・女性に対して結婚を前提とした出会いを提供するサービスが注目されている。
【０００３】
このようなサービスを提供するために、例えば、特許文献１には、サービスを利用するユーザの個人情報として、ユーザを示す画像や、年齢、住所等の情報を予め記憶しておき、ユーザが、理想とする異性の年齢、住所等の複数の条件を入力することにより、この条件に合致する異性を紹介する方法が提案されている。
【０００４】
また、特許文献１では、ユーザの顔を示す写真等の画像の入力を受け付け、この画像に対応する顔のタイプを記憶しておき、顔のタイプを検索条件とする方法が提案されている。よって、特許文献１に記載の方法は、ユーザが理想とする顔のタイプに一致又は類似する異性を紹介することができる。
【先行技術文献】
【特許文献】
【０００５】
【特許文献１】特開２００８−０４０６０７号公報
【発明の概要】
【発明が解決しようとする課題】
【０００６】
しかしながら、特許文献１に記載の方法では、ユーザが提出する画像の入力を受け付ける際に、何ら制限を設けていない。よって、特許文献１に記載の方法では、ユーザが、他ユーザに紹介されることを目的として、モデル等の他人の画像を使用してユーザ本人の画像として入力することを防止できないという問題がある。
【０００７】
これに対し、例えば、免許証等の写真つきの公文書の入力を通信ネットワークを介して受け付けることにより、ユーザが他人の画像を使用することを防ぐ方法が考えられる。しかしながら、通信ネットワークを介して公文書を送信する方法は、多くのユーザに抵抗感を与えることが懸念され、サービス利用の低下につながってしまう可能性がある。
【０００８】
よって、ユーザから受け付けた写真データがユーザ本人である蓋然性が高いことを簡易的に確認することができる方法が求められている。
【０００９】
本発明は、ユーザから受け付けた写真データがユーザ本人である蓋然性が高いことを簡易的に確認させることができる本人認証支援装置及び方法を提供することを目的とする。
【課題を解決するための手段】
【００１０】
（１）ユーザから受け付ける写真データが前記ユーザを示す写真データであるかの認証を支援する本人認証支援装置であって、ユーザから第１の写真データを受け付ける第１受付手段と、複数のポーズを示す情報を予め記憶するポーズ記憶手段と、前記ポーズ記憶手段から、１以上の任意のポーズを示す情報を選択するポーズ選択手段と、前記ユーザに、選択された前記ポーズを示す情報に対応する第２の写真データの提出を要求する要求手段と、前記要求手段により、前記第２の写真データの提出を要求したことに応じて、前記ユーザから前記第２の写真データを受け付ける第２受付手段と、前記第１の写真データ及び前記第２の写真データを出力する出力手段と、を備える本人認証支援装置。
【００１１】
（１）の本人認証支援装置は、ポーズ選択手段により、ポーズ記憶手段から、１以上の任意のポーズを示す情報を選択し、要求手段により、ユーザに、選択されたポーズを示す情報に対応する第２の写真データの提出を要求し、第２受付手段により、ユーザから第２の写真データを受け付け、出力手段により、第１の写真データ及び第２の写真データを出力する。
【００１２】
ここで、第２の写真データは、任意のポーズを示す情報に対応するものである。よって、ユーザが他人の写真を使用して第１の写真を提出した場合には、当該ユーザはこのポーズを示す情報に対応する他人の写真データを即座に用意することが困難となる。これに対し、ユーザがユーザ自身の写真を用いて第１の写真を提出した場合には、このポーズを示す情報に対応するユーザ自身の写真データを即座に用意することは、他人の写真データを即座に用意することに比べて容易である。
【００１３】
よって、（１）の本人認証支援装置は、ポーズ選択手段が選択したポーズを示す情報に対応した第２の写真データを受け付け、第１の写真データと第２の写真データを出力することにより、本人認証支援装置を使用する管理者に、第１の写真データと第２の写真データとが同一人物の肖像であるか否かを確認させることができる。両者を比較して、同一人物の肖像であると推認できる場合、第１の写真はユーザ本人のものである蓋然性が高いので、（１）の本人認証支援装置は、ユーザから受け付けた第１の写真データがユーザ本人である蓋然性が高いことを簡易的に確認させることができる。
【００１４】
また、（１）の本人認証支援装置は、選択されるポーズを示す情報を多様とすることで、任意のポーズを示す情報に対応する他人の写真データをユーザに即座に用意させることを困難にすることができ、結果として、ユーザが他人の画像を使用して第１の写真データとして不正に入力することを防ぐことができる。
【００１５】
（２）前記第１の写真データと前記第２の写真データとが類似しているか否かを判定する判定手段をさらに備え、前記出力手段は、前記第１の写真データ及び前記第２の写真データと、前記判定手段の判定結果とを出力する（１）に記載の本人認証支援装置。
【００１６】
（２）の本人認証支援装置は、判定手段により、第１の写真データと第２の写真データとが類似しているか否かを判定し、出力手段により、第１の写真データ及び第２の写真データと、判定手段の判定結果とを出力する。よって、本人認証支援装置は、この判定結果を出力して、本人認証を支援することができる。
【００１７】
（３）通信ネットワークを介して接続可能なＷｅｂサイトからクローリングして得られた画像データを記憶する画像記憶手段と、前記第１受付手段が前記第１の写真データを受け付けたことに応じて、前記画像記憶手段から、前記第１の写真データと類似する画像データを検索する検索手段と、前記検索手段により検索された前記類似する画像データについて、前記複数のポーズを示す情報のうち対応するポーズを示す情報を決定するポーズ決定手段と、をさらに備え、前記ポーズ選択手段は、前記ポーズ記憶手段から、前記ポーズ決定手段により決定されたポーズを示す情報と異なる１以上の任意のポーズを選択する（１）又は（２）に記載の本人認証支援装置。
【００１８】
（３）の本人認証支援装置は、検索手段により、画像記憶手段から、第１の写真データと類似する画像データを検索し、ポーズ決定手段により、検索手段により検索された類似する画像データに対応するポーズを示す情報を決定する。そして、（３）の本人認証支援装置は、ポーズ選択手段により、ポーズ記憶手段から、ポーズ決定手段により決定されたポーズを示す情報と異なる１以上の任意のポーズを選択する。
【００１９】
このようにすることで、（３）の本人認証支援装置は、Ｗｅｂサイトからクローリングして得られた画像データのうち、第１の写真データに類似する画像データを検索することで、ユーザがＷｅｂサイトから収集した画像データを第１の写真データとして提出した場合に、それを確認することができる。また、（３）の本人認証支援装置は、検索された画像データに対応するポーズを示す情報とは異なるものを第２の写真データに対応するポーズを示す情報とするので、ユーザがＷｅｂサイトから収集した他人の画像を第１の写真データとして提出した場合には、要求されたポーズを有する第２の写真データを即座に用意することは困難なものとなるので好適である。
【００２０】
（４）ユーザから受け付ける写真データが前記ユーザを示す写真データであることの認証を支援する本人認証支援装置が実行する方法であって、前記本人認証支援装置は、複数のポーズを示す情報を予め記憶するポーズ記憶手段を備え、ユーザから第１の写真データを受け付ける第１受付ステップと、前記ポーズ記憶手段から、１以上の任意のポーズを示す情報を選択するポーズ選択ステップと、前記ユーザに、選択された前記ポーズを示す情報に対応する第２の写真データの提出を要求する要求ステップと、前記要求ステップにおいて、前記第２の写真データの提出を要求したことに応じて、前記ユーザから前記第２の写真データを受け付ける第２受付ステップと、前記第１の写真データ及び前記第２の写真データを出力する出力ステップと、を備える方法。
【００２１】
（４）に記載の方法によれば、（１）の装置と同様の効果を奏する。
【発明の効果】
【００２２】
本発明によれば、ユーザから受け付けた写真データがユーザ本人である蓋然性が高いことを簡易的に確認させることができる。
【図面の簡単な説明】
【００２３】
【図１】第１実施形態に係る本人認証支援装置の機能概要を示す図である。
【図２】第１実施形態に係るポーズＤＢを示す図である。
【図３】第１実施形態に係る本人認証支援装置の制御部における処理を示すフローチャートである。
【図４】ユーザから受け付けた第１の写真データを示す例である。
【図５】ユーザから受け付けた第２の写真データを示す例である。
【図６】第２実施形態に係る本人認証支援装置の機能概要を示す図である。
【図７】第２実施形態に係る本人認証支援装置の制御部における処理を示すフローチャートである。
【図８】第３実施形態に係る本人認証支援装置の機能概要を示す図である。
【図９】第３実施形態に係る画像ＤＢを示す図である。
【図１０】第３実施形態に係る本人認証支援装置の制御部における処理を示すフローチャートである。
【発明を実施するための形態】
【００２４】
＜第１実施形態＞
以下、本実施形態について図を参照しながら説明する。
【００２５】
［機能構成］
図１は、第１実施形態に係る本人認証支援装置１の機能概要を示す図である。本人認証支援装置１は、通信ネットワークを介して、ユーザ端末２に接続可能であり、結婚を前提とした出会いを提供する結婚相談サービスのＷｅｂサイト（以下、単にＷｅｂサイトという）において、ユーザ端末２のユーザから受け付ける写真データが当該ユーザ本人を示す写真データであるかの認証を支援するサーバである。
【００２６】
第１実施形態は、コンピュータ（本人認証支援装置１及びユーザ端末２）及びその周辺装置に適用される。第１実施形態における各部は、コンピュータ及びその周辺装置が備えるハードウェア並びにこのハードウェアを制御するソフトウェアによって構成される。
【００２７】
上記ハードウェアには、制御部１０としてのＣＰＵの他、記憶部２０、通信部、表示部及び入力部が含まれる。記憶部２０としては、例えば、メモリ（ＲＡＭ、ＲＯＭ等）、ハードディスクドライブ（ＨＤＤ）及び光ディスク（ＣＤ、ＤＶＤ等）ドライブが挙げられる。通信部としては、例えば、各種有線及び無線インターフェース装置が挙げられる。表示部としては、例えば、液晶ディスプレイ、プラズマディスプレイ等の各種ディスプレイが挙げられる。入力部としては、例えば、キーボード及びポインティング・デバイス（マウス、トラッキングボール等）が挙げられる。
【００２８】
上記ソフトウェアには、上記ハードウェアを制御するコンピュータ・プログラムやデータが含まれる。コンピュータ・プログラムやデータは、記憶部２０により記憶され、制御部１０により適宜実行、参照される。また、コンピュータ・プログラムやデータは、通信ネットワークを介して配布することも可能であり、ＣＤ−ＲＯＭ等のコンピュータ可読媒体に記録して配布することも可能である。
【００２９】
本人認証支援装置１の制御部１０は、第１受付部１１（第１受付手段）と、ポーズ選択部１２（ポーズ選択手段）と、要求部１３（要求手段）と、第２受付部１４（第２受付手段）と、出力部１５と、を備える。また、本人認証支援装置１の記憶部２０は、ポーズＤＢ（データベース）２１（ポーズ記憶手段）を備える。
【００３０】
第１受付部１１は、ユーザから第１の写真データを受け付ける。具体的には、第１受付部１１は、ユーザ端末２より結婚相談サービスを利用するユーザが、Ｗｅｂサイトにおいてユーザ登録処理に係る操作を行ったことに応じて、第１の写真データを受け付けるＷｅｂページをユーザ端末２に送信し、ユーザ端末２の表示部に表示させる。続いて、第１受付部１１は、このＷｅｂページを介して、ユーザ端末２から第１の写真データを受け付けることにより、ユーザから第１の写真データを受け付ける。
ここで、第１の写真データは、結婚相談サービスにおいて、サービスを利用するユーザに公開される写真データである。
【００３１】
ポーズ選択部１２は、ポーズＤＢ２１から、１以上の任意のポーズを示す情報を選択する。具体的には、ポーズ選択部１２は、第１受付部１１によりユーザから第１の写真データを受け付けたことに応じて、ポーズＤＢ２１から、１以上の任意のポーズを示す情報を選択する。
【００３２】
図２は、第１実施形態に係るポーズＤＢ２１を示す図である。ポーズＤＢ２１は、複数のポーズ（例えば、右手Ｖサインや右目ウインク）を示す情報を予め記憶する。
【００３３】
図１に戻り、要求部１３は、ユーザに、選択されたポーズを示す情報に対応する第２の写真データの提出を要求する。具体的には、要求部１３は、ポーズ選択部１２により１以上の任意のポーズを示す情報が選択されたことに応じて、選択されたポーズを示す情報に対応する第２の写真データを要求するＷｅｂページをユーザ端末２に送信し、ユーザ端末２の表示部に表示させることにより、ユーザに第２の写真データの提出を要求する。
【００３４】
なお、第１実施形態では、要求部１３は、Ｗｅｂページを送信することで第２の写真データの提出を要求することとしたが、これに限らない。例えば、要求部１３は、電子メールをユーザ端末２に送信することにより、ユーザに対して第２の写真データの提出を要求することとしてもよい。
【００３５】
第２受付部１４は、要求部１３により、第２の写真データの提出を要求したことに応じて、ユーザから第２の写真データを受け付ける。具体的には、第２受付部１４は、要求部１３により送信され、ユーザ端末２の表示部に表示された第２の写真データを要求するＷｅｂページを介して、ユーザ端末２から第２の写真データを受け付けることにより、ユーザから第２の写真データを受け付ける。
【００３６】
出力部１５は、第１の写真データ及び第２の写真データを出力する。具体的には、出力部１５は、第１の写真データ及び第２の写真データを本人認証支援装置１の表示部に表示させることで、第１の写真データ及び第２の写真データを出力する。
【００３７】
なお、第１実施形態では、出力部１５は、第１の写真データ及び第２の写真データを本人認証支援装置１の表示部に表示させることで、第１の写真データ及び第２の写真データを出力することとしたが、これに限らない。例えば、出力部１５は、第１の写真データ及び第２の写真データを、記憶部２０に出力してもよいし、通信ネットワークを介して接続された外部装置に対して出力してもよい。
【００３８】
［処理フロー］
図３は、第１実施形態に係る本人認証支援装置１の制御部１０における処理を示すフローチャートである。
【００３９】
ステップＳ１（第１受付ステップ）において、制御部１０（第１受付部１１）は、ユーザから第１の写真データを受け付ける。具体的には、制御部１０（第１受付部１１）は、ユーザ端末２の表示部に表示された、第１の写真データを受け付けるＷｅｂページを介して、ユーザ端末２のユーザから第１の写真データを受け付ける。
【００４０】
図４は、ユーザ端末２のユーザから受け付けた第１の写真データを示す例である。図４では、第１の写真データは人物の肖像を含んでいることが確認できるものの、これだけでは、当該第１の写真データが含んでいる肖像Ｐ１が、ユーザ端末２のユーザ本人の肖像であるか確認することはできない。
【００４１】
図３に戻り、ステップＳ２において、制御部１０は、受け付けた第１の写真データの一次チェックを行い、一次チェックを通過したか否かの判定を行う。これは本実施形態において、必須のものではないが、本人認証支援装置１を運用するに際に、第２の写真データの要求を行う対象となるケースを絞り込む意義がある。
【００４２】
例えば、制御部１０は、受け付けた第１の写真データに、電子透かしが埋め込まれている場合、この電子透かしを読み取って登録希望者の識別情報等を読み出してチェックを行ったり、受け付けた第１の写真データが、既に登録しているユーザや著名人の顔写真と酷似しているか否かのチェックを行ったりする。なお、一次チェックは、これらの方法に限らず、本人認証支援装置１において行ってもよいし、適宜他のシステムの利用、あるいは、目視による写真データの照合等による判定結果の入力を受け付けることにより実施しても良い。制御部１０は、この判定がＹＥＳ、すなわち、一次チェックにおいて、これ以降の本人認証は不要と判断した場合には、処理を終了し、この判定がＮＯ、すなわち、更なる本人認証が必要と判定した場合にはステップ３に処理を移す。
【００４３】
ステップＳ３（ポーズ選択ステップ）において、制御部１０（ポーズ選択部１２）は、ステップＳ１において、第１の写真データが受け付けられ、ステップＳ２において、更なる本人認証が必要と判定したことに応じて、ポーズＤＢ２１から、１以上の任意のポーズを示す情報を選択する。
【００４４】
ステップＳ４（要求ステップ）において、制御部１０（要求部１３）は、ユーザに、選択されたポーズを示す情報に対応する第２の写真データの提出を要求する。具体的には、制御部１０（要求部１３）は、ステップＳ３において選択されたポーズを示す情報に対応する第２の写真データを要求するＷｅｂページをユーザ端末２に送信し、ユーザ端末２の表示部に表示させることにより、第２の写真データの提出を要求する。ここでは、第２の写真データとして、図２で示す「両手Ｖサイン」に対応する写真データを要求しているものとして、説明を続ける。
【００４５】
ステップＳ５（第２受付ステップ）において、制御部１０（第２受付部１４）は、ステップＳ４において、第２の写真データの提出を要求したことに応じて、ユーザから第２の写真データを受け付ける。具体的には、制御部１０（第２受付部１４）は、ユーザ端末２の表示部に表示された、第２の写真データを要求するＷｅｂページを介して、ユーザから第２の写真データを受け付ける。
【００４６】
ステップＳ６（出力ステップ）において、制御部１０（出力部１５）は、第１の写真データ及び第２の写真データを出力する。具体的には、制御部１０（出力部１５）は、ステップＳ１において受け付けた第１の写真データ及びステップＳ５において受け付けた第２の写真データを出力する。
【００４７】
以上のように、第１実施形態によれば、本人認証支援装置１は、ポーズ選択部１２により、ポーズＤＢ２１から、１以上の任意のポーズを示す情報を選択し、要求部１３により、ユーザに、選択されたポーズを示す情報に対応する第２の写真データの提出を要求し、第２受付部１４により、ユーザから第２の写真データを受け付け、出力部１５により、第１の写真データ及び第２の写真データを出力する。
【００４８】
図５は、ユーザ端末２のユーザから受け付けた第２の写真データを示す例である。上述のとおり、本人認証支援装置１は、図４に示す写真及び図５に示す写真の双方を、出力部１５が出力する。本人認証支援装置１を使用する管理者は、例えばディスプレイに表示された図４及び図５に示す写真を、直接視認することにより、本人認証を行う。
【００４９】
具体的には、図５の例では、第２の写真データのポーズは要求された「両手Ｖサイン」のポーズを示す写真であるので、当該管理者は、制御部１０（要求部１３）からの要求に対応していることが分かる。なお、この確認を行うために、本人認証支援装置１は、ポーズの要求時に要求したポーズにかかる情報を要求したユーザを識別する情報と共に記憶しておき、写真データの出力の際に、当該要求したポーズに係る情報を写真データと併せて出力すると好適である。
【００５０】
さらに、本人認証支援装置１を使用する管理者は、第１の写真データが含む肖像と第２の写真データが含む肖像を比較することにより、これらが同一人物であるかの推測を行うことができる。図５の例では、図４の肖像Ｐ１と図５の肖像Ｐ２が互いに類似していることから、本人認証支援装置１を使用する管理者は、同一の人物にかかる写真データであることが推測できる。
【００５１】
すなわち、本人認証支援装置１は、第１の写真データに加えてポーズを指定した第２の写真データをユーザに要求し、これらが同一人物の肖像であることが推認できる情報を出力することをもって、管理者によるユーザ端末２の本人認証を支援することができるのである。すなわち、本人認証支援装置１は、免許証やパスポート等、写真付の証明書等を要求することなく、ポーズを指定した第２の写真データを要求することにより、簡易な手段で受け付けた写真がユーザ端末２のユーザ本人であることの蓋然性が高いことを本人認証支援装置１の管理者に確認させることができることになる。
【００５２】
ここで、第２の写真データは、制御部１０（要求部１３）からの要求された任意のポーズを示す情報に対応するものである。よって、ユーザは、他人の写真を使用して第１の写真データを提出した場合、要求されたポーズを示す情報に対応する他人の写真データ（第２の写真データ）を即座に用意することが困難となる。これに対し、ユーザがユーザ自身の写真を用いて第１の写真を提出した場合、ユーザは、要求されたポーズを示す情報に対応するユーザ自身の写真データを即座に用意することが、他人の写真データを即座に用意することに比べて容易である。
【００５３】
よって、本人認証支援装置１は、ポーズ選択部１２が選択したポーズを示す情報に対応した第２の写真データを受け付け、第１の写真データと第２の写真データを出力することにより、本人認証支援装置１の管理者に、第１の写真データと第２の写真データとが含む肖像が同一人物のものであるか否かを確認させることができる。また、第１の写真データと第２の写真データとに示される肖像が互いに類似していること等に基づいて同一人物の肖像であると推認できる場合、第１の写真データはユーザ本人のものである蓋然性が高い。したがって、本人認証支援装置１は、ユーザから受け付けた第１の写真データがユーザ本人である蓋然性が高いことを、本人認証支援装置１を使用する管理者に簡易的に確認させることができる。
【００５４】
また、本人認証支援装置１は、選択されるポーズを示す情報を多様とすることで、任意のポーズを示す情報に対応する他人の写真データをユーザに即座に用意させることを困難にすることができ、結果として、ユーザが他人の画像を使用して第１の写真データとして不正に提出することを防ぐことができる。
【００５５】
＜第２実施形態＞
以下、本発明の第２実施形態について図を参照しながら説明する。なお、第１実施形態と同様の構成には同一の符号を付し、説明を省略又は簡略化する。
【００５６】
［機能構成］
図６は、第２実施形態に係る本人認証支援装置１Ａの機能概要を示す図である。
本人認証支援装置１Ａは、制御部１０Ａと、記憶部２０とを備える。制御部１０Ａは、第１実施形態の制御部１０が備える機能に加えて、判定部１６（判定手段）を備える。
【００５７】
判定部１６は、第１の写真データと第２の写真データとが類似しているか否かを判定する。具体的には、判定部１６は、第１の写真データ及び第２の写真データそれぞれについて、顔領域を抽出し、この抽出された顔領域について、特徴量を算出する。続いて、判定部１６は、第１の写真データの顔領域の特徴量と、第２の写真データの顔領域の特徴量との差異が所定の値以下である場合に、第１の写真データと第２の写真データとが類似していると判定し、所定の値より大きい場合に、第１の写真データと第２の写真データとが類似していないと判定する。
【００５８】
出力部１５Ａは、第１の写真データ及び第２の写真データと、判定部１６の判定結果とを出力する。具体的には、出力部１５Ａは、第１の写真データ及び第２の写真データと、判定部１６の判定結果とを本人認証支援装置１Ａの表示部に表示させることで、第１の写真データ及び第２の写真データを出力する。
【００５９】
第１受付部１１と、ポーズ選択部１２と、要求部１３と、第２受付部１４とは、第１実施形態と同様である。また、記憶部２０は、第１実施形態と同様である。
【００６０】
［処理フロー］
図７は、第２実施形態に係る本人認証支援装置１Ａの制御部１０Ａにおける処理を示すフローチャートである。
【００６１】
ステップＳ１１からステップＳ１５までの処理は、第１実施形態のステップＳ１からステップＳ５までの処理と同様である。
【００６２】
ステップＳ１６において、制御部１０Ａ（判定部１６）は、第１の写真データと第２の写真データとが類似しているか、判定する。具体的には、制御部１０Ａ（判定部１６）は、第１の写真データ及び第２の写真データそれぞれについて、顔領域を抽出し、この抽出された顔領域について、特徴量を算出する。続いて、制御部１０Ａ（判定部１６）は、この特徴量に基づいて、第１の写真データと第２の写真データとが類似しているかを判定する。
【００６３】
ステップＳ１７において、制御部１０Ａ（出力部１５Ａ）は、第１の写真データ及び第２の写真データと判定結果とを出力する。具体的には、制御部１０Ａ（出力部１５Ａ）は、ステップＳ１１において受け付けた第１の写真データ及びステップＳ１５において受け付けた第２の写真データと、ステップＳ１６における判定結果とを出力する。
【００６４】
以上のように、第２実施形態によれば、本人認証支援装置１Ａは、判定部１６により、第１の写真データと第２の写真データとが類似しているか否かを判定し、出力部１５Ａにより、第１の写真データ及び第２の写真データと、判定部１６の判定結果とを出力する。よって、本人認証支援装置１Ａは、この判定結果を出力して、本人認証を支援することができる。
【００６５】
＜第３実施形態＞
以下、本発明の第３実施形態について図を参照しながら説明する。なお、第１実施形態と同様の構成には同一の符号を付し、説明を省略又は簡略化する。
【００６６】
［機能構成］
図８は、第３実施形態に係る本人認証支援装置１Ｂの機能概要を示す図である。
本人認証支援装置１Ｂは、制御部１０Ｂと、記憶部２０Ｂとを備える。制御部１０Ｂは、第１実施形態の制御部１０が備える機能に加えて、検索部１７（検索手段）と、ポーズ決定部１８（ポーズ決定手段）とを備える。
【００６７】
検索部１７は、第１受付部１１が第１の写真データを受け付けたことに応じて、画像ＤＢ２２から、第１の写真データと類似する画像データを検索する。具体的には、検索部１７は、第１の写真データの特徴量を算出し、この特徴量に類似する特徴量を有する画像を画像ＤＢ２２から検索する。
【００６８】
なお、検索部１７は、上述の検索方法に限らず、例えば、ユーザ端末２のユーザから予め受け付けたユーザの名称が、画像に対応するＴＩＴＬＥ属性やＡＬＴ属性（後述の図９参照）に含まれるか否かを判定して、第１の写真データと類似する画像データを検索してもよい。
【００６９】
図９は、第３実施形態に係る画像ＤＢ２２を示す図である。画像ＤＢ２２は、通信ネットワークを介して接続可能なＷｅｂサイトからクローリングして得られた画像データを記憶する。具体的には、画像ＤＢ２２は、画像データと、この画像データが表示されていたＷｅｂページのＴＩＴＬＥ属性と、このＷｅｂページにおいて画像を閲覧することができない場合に代替テキストとして表示される情報であるＡＬＴ属性等を記憶する。なお、Ｗｅｂサイトのクローリングは、通信ネットワークを介して接続可能な外部装置が行ってもよいし、本人認証支援装置１Ｂが行ってもよい。
【００７０】
図８に戻り、ポーズ決定部１８は、検索部１７により検索された第１の写真データと類似する画像データについて、複数のポーズを示す情報のうち対応するポーズを示す情報を決定する。具体的には、ポーズ決定部１８は、検索部１７により検索された第１の写真データと類似する画像データについて、画像の解析を行い、この画像データに示される人物がとっているポーズを示す情報を決定する。
【００７１】
ポーズ選択部１２Ｂは、ポーズＤＢ２１から、ポーズ決定部１８により決定されたポーズを示す情報と異なる１以上の任意のポーズを選択する。
【００７２】
第１受付部１１と、要求部１３と、第２受付部１４と、出力部１５とは、第１実施形態と同様である。
【００７３】
［処理フロー］
図１０は、第３実施形態に係る本人認証支援装置１Ｂの制御部１０Ｂにおける処理を示すフローチャートである。
【００７４】
ステップＳ２１及びステップＳ２２の処理は、第１実施形態のステップＳ１及びステップＳ２の処理と同様である。
【００７５】
ステップＳ２３において、制御部１０Ｂ（検索部１７）は、ステップＳ２１において写真データを受け付け、ステップＳ２２において、更なる本人認証が必要と判定したことに応じて、画像ＤＢ２２から、第１の写真データと類似する画像データを検索する。
【００７６】
ステップＳ２４において、制御部１０Ｂ（ポーズ決定部１８）は、ステップＳ２３において検索された第１の写真データと類似する画像データについて、複数のポーズを示す情報のうち対応するポーズを示す情報を決定する。
【００７７】
ステップＳ２５において、制御部１０Ｂ（ポーズ選択部１２Ｂ）は、ポーズＤＢ２１から、ステップＳ２４において決定されたポーズを示す情報と異なる１以上の任意のポーズを選択する。
【００７８】
ステップＳ２６からステップＳ２８の処理は、第１実施形態のステップＳ４からステップＳ６までの処理と同様である。
【００７９】
以上のように、第３実施形態によれば、本人認証支援装置１Ｂは、検索部１７により、画像ＤＢ２２から、第１の写真データと類似する画像データを検索し、ポーズ決定部１８により、検索部１７により検索された第１の写真データと類似する画像データに対応するポーズを示す情報を決定する。そして、本人認証支援装置１Ｂは、ポーズ選択部１２Ｂにより、ポーズＤＢ２１から、ポーズ決定部１８により決定されたポーズを示す情報と異なる１以上の任意のポーズを選択する。
【００８０】
このようにすることで、本人認証支援装置１Ｂは、Ｗｅｂサイトからクローリングして得られた画像データのうち、第１の写真データと類似する画像データを検索することで、ユーザがＷｅｂサイトから収集した画像データを第１の写真データとして提出した場合に、それを確認することができる。本人認証支援装置１Ｂは、検索部１７により検索された画像データに対応するポーズを示す情報とは異なるものを第２の写真データに対応するポーズを示す情報とする。よって、ユーザがＷｅｂサイトから収集した他人の画像を含む第１の写真データを提出した場合には、要求されたポーズを有する第２の写真データをユーザが即座に用意することは困難なものとなる。したがって、本人認証支援装置１Ｂは、ユーザが他人の画像を使用して第１の写真データとして不正に入力することをさらに防ぐことができるので好適である。
【００８１】
以上、本発明の実施形態について説明したが、本発明は前述した実施形態に限るものではない。本発明は、第１実施形態から第３実施形態それぞれにおいて有する機能を組み合わせて実施してもよい。また、本発明の実施形態に記載された効果は、本発明から生じる最も好適な効果を列挙したに過ぎず、本発明による効果は、本発明の実施形態に記載されたものに限定されるものではない。
【符号の説明】
【００８２】
１、１Ａ、１Ｂ  本人認証支援装置
１０、１０Ａ、１０Ｂ  制御部
１１  第１受付部
１２、１２Ｂ  ポーズ選択部
１３  要求部
１４  第２受付部
１５、１５Ａ  出力部
１６  判定部
１７  検索部
１８  ポーズ決定部
２０、２０Ｂ  記憶部
２１  ポーズＤＢ
２２  画像ＤＢ
【図１】
2012014233.tif 000003
【図２】
2012014233.tif 000004
【図３】
2012014233.tif 000005
【図４】
2012014233.tif 000006
【図５】
2012014233.tif 000007
【図６】
2012014233.tif 000008
【図７】
2012014233.tif 000009
【図８】
2012014233.tif 000010
【図９】
2012014233.tif 000011
【図１０】
2012014233.tif 000012